(57)【要約】【課題】折り曲げ易く、折り曲げた時に角となる折曲げ部が破損しにくい冊子や用紙を製作する画像形成システムの提供。【解決手段】ジョブに係る情報であるジョブ情報を設定する操作部と、用紙を折り曲げた時に生ずる角を補強するための補強画像情報を生成する補強画像情報生成部と、前記補強画像生成部で生成した前記補強画像情報に基づく画像を、前記操作部で設定された前記ジョブ情報に基づく用紙折曲げ予定位置を含む所定領域に形成する画像形成部と、前記画像形成部の下流側に位置し、前記用紙折曲げ予定位置で用紙を折り曲げる折り部を有する後処理部と、を有し、前記補強画像情報生成部は、折り曲げた時に外側に位置する用紙のみに前記補強画像情報を生成することを特徴とする画像形成システム。【選択図】図２
2012150158.tif 000002
【特許請求の範囲】
【請求項１】
ジョブに係る情報であるジョブ情報を設定する操作部と、
用紙を折り曲げた時に生ずる角を補強するための補強画像情報を生成する補強画像情報生成部と、
前記補強画像情報生成部で生成した前記補強画像情報に基づく画像を、前記操作部で設定された前記ジョブ情報に基づく用紙折曲げ予定位置を含む所定領域に形成する画像形成部と、
前記画像形成部の下流側に位置し、前記用紙折曲げ予定位置で用紙を折り曲げる折り部を有する後処理部と、
を有し、
前記補強画像情報生成部は、折り曲げた時に外側に位置する用紙のみに前記補強画像情報を生成することを特徴とする画像形成システム。
【請求項２】
前記画像形成部は、前記操作部で設定された前記ジョブ情報に基づく用紙の坪量に応じて、前記所定領域に単位面積当たり所定の量のトナーで前記画像を生成することを特徴とする請求項１に記載の画像形成システム。
【請求項３】
前記画像形成部は、前記ジョブ情報に基づく用紙の坪量が小さいほど、前記所定領域に、単位面積当たり多くの量のトナーで前記画像を生成することを特徴とする請求項２に記載の画像形成システム。
【請求項４】
前記所定領域は、前記用紙折曲げ予定位置を中心にして、両側に所定の幅を持つ領域であることを特徴とする請求項１〜３のいずれか１項に記載の画像形成システム。
【請求項５】
前記所定領域は、前記折り部で用紙を折り曲げる時に、外側に向いて凸となる角を含む領域であることを特徴とする請求項１〜４のいずれか１項に記載の画像形成システム。
【請求項６】
前記画像形成部は、前記画像をクリアトナーにより形成することを特徴とする請求項１〜５のいずれか１項に記載の画像形成システム。
【請求項７】
前記用紙折曲げ予定位置は、前記操作部で設定された前記ジョブ情報のうち、使用する用紙のサイズに係る情報と、前記後処理部で行う折り処理の種類に係る情報と、により定まる位置であり、
前記所定の幅は、前記操作部で設定された前記ジョブ情報のうち、用紙の坪量に係る情報により定まる幅である、ことを特徴とする請求項１〜６のいずれか１項に記載の画像形成システム。
【請求項８】
前記画像形成部は、有色トナーによる画像を前記所定領域以外の領域に形成することを特徴とする請求項１〜７のいずれか１項に記載の画像形成システム。
【請求項９】
用紙を折り曲げた時に生ずる角を補強するための補強画像情報に基づく画像を、処理中のジョブに係るジョブ情報に基づく用紙折曲げ予定位置を含む所定領域に形成する画像形成部と、
前記画像形成部の下流側に位置し、前記用紙折曲げ予定位置で用紙を折り曲げる折り部を有する折り処理部と、
を有し、
前記画像形成部は、折り曲げた時に外側に位置する用紙のみに前記画像を生成することを特徴とする後処理装置。
【発明の詳細な説明】
【技術分野】
【０００１】
画像形成システムに関し、特に用紙を折り曲げた時に角となる折曲げ部を補強可能とした画像形成システムに関する。
【背景技術】
【０００２】
従来、ステイプル処理やパンチ穴処理、折り処理を組み合わせて画像形成した複数の用紙を冊子状に製本する技術が知られている。
【０００３】
また、用紙を補強するために、用紙を折り曲げた時に角となる折曲げ部を除く用紙の全面にクリアトナーを塗布する（補強画像）印刷装置が知られている（例えば特許文献１参照。）。
【先行技術文献】
【特許文献】
【０００４】
【特許文献１】特開２００９−１７５４５０号公報
【発明の概要】
【発明が解決しようとする課題】
【０００５】
しかし、特許文献１に記載の印刷装置は、全ての用紙の用紙全面にクリアトナーを塗布するため複数の用紙で構成される冊子が必要以上に厚くなってしまうという問題点、折曲げ部にクリアトナーを塗布しないため、器物に折曲げ部が接触することにより用紙の折曲げ部が破損しやすいという問題点があった。
【０００６】
また、このような折曲げ部の破損しやすさを解消するために、画一的に折曲げ部にクリアトナーを塗布すると、用紙の折り曲げがし難くなることが一般的に知られている。
【０００７】
本発明は前述の問題点に鑑み、冊子を必要以上に厚くすることなく、冊子としての作成時に折り曲げ易く、折り曲げた時に角となる折曲げ部が破損しにくい冊子や用紙を製作する画像形成システムを提供することを目的とする。
【課題を解決するための手段】
【０００８】
上記目的は、下記の構成によって達成される。
【０００９】
１．ジョブに係る情報であるジョブ情報を設定する操作部と、
用紙を折り曲げた時に生ずる角を補強するための補強画像情報を生成する補強画像情報生成部と、
前記補強画像情報生成部で生成した前記補強画像情報に基づく画像を、前記操作部で設定された前記ジョブ情報に基づく用紙折曲げ予定位置を含む所定領域に形成する画像形成部と、
前記画像形成部の下流側に位置し、前記用紙折曲げ予定位置で用紙を折り曲げる折り部を有する後処理部と、
を有し、
前記補強画像情報生成部は、折り曲げた時に外側に位置する用紙のみに前記補強画像情報を生成することを特徴とする画像形成システム。
【００１０】
２．前記画像形成部は、前記操作部で設定された前記ジョブ情報に基づく用紙の坪量に応じて、前記所定領域に単位面積当たり所定の量のトナーで前記画像を生成することを特徴とする前記１に記載の画像形成システム。
【００１１】
３．前記画像形成部は、前記ジョブ情報に基づく用紙の坪量が小さいほど、前記所定領域に、単位面積当たり多くの量のトナーで前記画像を生成することを特徴とする前記２に記載の画像形成システム。
【００１２】
４．前記所定領域は、前記用紙折曲げ予定位置を中心にして、両側に所定の幅を持つ領域であることを特徴とする前記１〜３のいずれか１項に記載の画像形成システム。
【００１３】
５．前記所定領域は、前記折り部で用紙を折り曲げる時に、外側に向いて凸となる角を含む領域であることを特徴とする前記１〜４のいずれか１項に記載の画像形成システム。
【００１４】
６．前記画像形成部は、前記画像をクリアトナーにより形成することを特徴とする前記１〜５のいずれか１項に記載の画像形成システム。
【００１５】
７．前記用紙折曲げ予定位置は、前記操作部で設定された前記ジョブ情報のうち、使用する用紙のサイズに係る情報と、前記後処理部で行う折り処理の種類に係る情報と、により定まる位置であり、
前記所定の幅は、前記操作部で設定された前記ジョブ情報のうち、用紙の坪量に係る情報により定まる幅である、ことを特徴とする前記１〜６のいずれか１項に記載の画像形成システム。
【００１６】
８．前記画像形成部は、有色トナーによる画像を前記所定領域以外の領域に形成することを特徴とする前記１〜７のいずれか１項に記載の画像形成システム。
【００１７】
９．用紙を折り曲げた時に生ずる角を補強するための補強画像情報に基づく画像を、処理中のジョブに係るジョブ情報に基づく用紙折曲げ予定位置を含む所定領域に形成する画像形成部と、
前記画像形成部の下流側に位置し、前記用紙折曲げ予定位置で用紙を折り曲げる折り部を有する折り処理部と、
を有し、
前記画像形成部は、折り曲げた時に外側に位置する用紙のみに前記画像を生成することを特徴とする後処理装置。
【発明の効果】
【００１８】
上記発明により、折り曲げ易く、折り曲げた時に角となる折曲げ部が破損しにくい冊子や用紙を製作する画像形成システムの提供を可能とした。
【図面の簡単な説明】
【００１９】
【図１】画像形成システムで行う折処理の説明図。
【図２】画像形成システムの説明図（側面）。
【図３】画像形成システムにおける補強画像の形成に関するブロック図。
【図４】画像形成装置の説明図（側面）。
【図５】後処理装置の説明図（側面）。
【図６】折り処理部の詳細説明図（側面）。
【図７】基本画面の１例を示す図。
【図８】後処理の形態を設定する後処理設定画面の１例を示す図。
【図９】打針位置情報ファイルの説明図。
【図１０】折り位置情報ファイルの説明図。
【図１１】クリアトナー塗布幅情報ファイルの説明図。
【図１２】クリアトナー塗布量情報ファイルの説明図。
【図１３】折り処理部における折動作の詳細説明図（側面）。
【図１４】後処理装置の他の形態の説明図（側面）。
【発明を実施するための形態】
【００２０】
形態の説明の前に文言の説明をする。
【００２１】
以下の説明において、上流とは用紙Ｐが搬送されて来る方向を指し、下流とは用紙Ｐが搬送されて行く方向を指す。
【００２２】
また、折り（処理）とは用紙或いは用紙束を折り曲げる（折りたたむ）こと（処理）を指し、用紙折曲げ予定位置とは、これから折り曲げようとする、用紙の位置を指す。
【００２３】
また、山（山側）、稜、とは、用紙或いは用紙束を折り曲げた時に生ずる凸となる外側先端部分を指し、谷（谷側）とは、用紙或いは用紙束を折り曲げた時に生ずる凹となる内側先端部分を指す。
【００２４】
また、ジョブ情報とは、１つのジョブに属する画像形成に係る情報及び、１つのジョブに属する用紙に対する後処理に係る情報を指す。
【００２５】
また、原稿画像情報（原稿画像データ）とは、画像形成装置で読み込んだテキスト文や絵柄等に係る画像情報と外部から送信されたテキスト文や絵柄等に係る画像情報とを指し、原稿画像（通常画像）とは該原稿画像データに基づいて形成された画像を指す。
【００２６】
そして、補強画像データとは、用紙を補強するための画像情報を指し、補強画像とは該補強画像データに基づいて形成された画像を指す。
【００２７】
図１は、画像形成システムで行う折処理の説明図である。
【００２８】
以下、折り処理を代表して中綴じ（中折り）とＺ折りについて説明する。
【００２９】
図１（ａ）〜図１（ｄ）において、ハッチング領域Ｑが用紙を補強するための補強画像であるクリアトナーの塗布領域を示し、これから用紙を折り曲げようとする予定位置である用紙折曲げ予定位置、或いは既に曲げられた折曲げ部に対して左右対称となっている。
【００３０】
鎖線ｍ’は用紙を折り曲げた時に山部（稜）となる用紙折曲げ予定位置で、鎖線ｎ’は用紙を折り曲げた時に谷部となる用紙折曲げ予定位置である。
【００３１】
そして、ｍは用紙の折り曲げ完了後に外側に向いて凸となる山部で、ｎは用紙の折り曲げ完了後に内側に凹となる谷部である。
【００３２】
図１（ａ）は中綴じする前の用紙Ｐ（最外部の表紙Ｐ２１）の展開図で、図示手前側が冊子形態とした場合に最外部の表紙となる面を示し、用紙全長の１／２の位置（鎖線ｍ’）が用紙折曲げ予定位置となっている。
【００３３】
図１（ｂ）は中綴じした冊子Ｐ２の斜視図で、中綴じされた冊子Ｐ２は表紙Ｐ２１と内容紙Ｐ２２とで構成され、冊子Ｐ２の山部（背）にステープル針ｈが例えば２箇所打たれている。
【００３４】
図１（ｃ）は３面がそれぞれ同じ長さを有するＺ折りの場合の、Ｚ折りする前の用紙Ｐの展開図で、用紙全長の１／３の位置（鎖線ｍ’）が用紙折曲げ予定位置（山折り）となり、用紙全長の２／３の位置（鎖線ｎ’）が用紙折曲げ予定位置（谷折り）となっている。
【００３５】
図１（ｄ）は３面がそれぞれ同じ長さを有するＺ折り用紙の斜視図で、山折りと谷折りを交互に繰り返した用紙となっている。
【００３６】
なお、図１（ｃ）と（ｄ）では３面がそれぞれ同じ長さを有するＺ折りについて示したが、Ｚ折りの他の形態として例えば図示手前側の１面を他の面より長くしても良い。
【００３７】
例えば、１面を他の面より長くすると、他の面より長くした部分にパンチ穴等を開けることによりファイリングしやすくなる。
【００３８】
なお、図１において、クリアトナーの塗布領域であるハッチング領域Ｑの外部の領域（白地部分）が、テキスト文又は絵柄を含む原稿画像（通常画像）を形成する通常画像の形成領域となっている。
【００３９】
以下に、上述した用紙或いは冊子を製作可能な画像形成システムについて説明する。
【００４０】
図２は、画像形成システムの説明図（側面）である。
【００４１】
画像形成システムＡは、用紙に画像を形成する画像形成装置Ｂと、画像形成装置Ｂの下流側に位置し、画像形成装置Ｂで画像を形成された用紙の後処理を行う後処理装置Ｃとを有している。
【００４２】
画像形成装置Ｂには、画像形成装置Ｂと後処理装置Ｃとをシステムとして制御する制御部ＣＲと、ジョブに係る情報であるジョブ情報を設定する操作部（操作パネルＳＰ）とが配設されている。
【００４３】
そして、操作パネルＳＰで設定されたジョブ情報等に基づいて制御部ＣＲにより、画像形成装置Ｂで画像形成が行われ、後処理装置Ｃで用紙の後処理が行われる。
【００４４】
画像形成システムＡの概要について説明すると、制御部ＣＲ（補強画像情報生成部）は、用紙を補強するための画像、特に用紙を折り曲げた時に生ずる角を補強する補強画像の画像データである補強画像情報を生成する。
【００４５】
制御部ＣＲは、画像形成部２により、操作パネルＳＰで設定されたジョブ情報のうち、用紙のサイズと後処理の形態（例えば中折り、Ｚ折り、中綴じ等）と等により定まる用紙折曲げ予定位置を含む所定領域に、前記補強画像情報による補強画像を形成させる。
【００４６】
そして、原稿画像読取部１で読み込まれた原稿画像情報により前記所定領域の外の領域に原稿画像を形成させ、前記補強画像と該原稿画像とが合成した合成画像を得、合成画像を担持した用紙は後処理装置Ｃに搬送される。
【００４７】
後処理装置Ｃは、折り処理部９により用紙を用紙折曲げ予定位置で折り曲げ、或いは綴じ処理部８でステープル針を打ち込む。これにより、Ｚ折り用紙や冊子を得る。
【００４８】
即ち、画像形成システムＡは、画像形成システムＡ全体をシステムとして制御する制御部ＣＲと、ジョブに係る情報であるジョブ情報を設定する操作部である操作パネルＳＰと、用紙を折り曲げた時に生ずる角を補強するための補強画像情報を生成する補強画像情報生成部と、前記補強画像生成部で生成した前記補強画像情報による前記補強画像を、操作パネルＳＰで設定された前記ジョブ情報に基づく用紙折曲げ予定位置を含む所定領域に、形成する画像形成部２と、を有する画像形成装置Ｂと、画像形成装置Ｂの下流側に位置し、画像形成装置Ｂで画像を形成された用紙の後処理（例えば、前記用紙折曲げ予定位置で用紙を折り曲げる折り処理）を行う後処理装置Ｃと、を有している。
【００４９】
図３は、画像形成システムにおける補強画像の形成に関するブロック図である。
【００５０】
制御部ＣＲは、ＣＰＵ（セントラル・プロセッシング・ユニット）ＣＲ１、ＲＡＭ（ランダム・アクセス・メモリ）ＣＲ２及び、ＲＯＭ（リード・オンリー・メモリ）ＣＲ３及びＨＤＤ（ハード・ディスク・ドライブ）ＣＲ４及び、各種入出力機器とＣＰＵとを仲立ちするＩ／ＯコントローラＣＲ５及び、これらを相互に接続するバスＣＲ６とを有している。
【００５１】
そして制御部ＣＲには、タッチパネルＴＰと、原稿画像読取部１と、画像形成部２と、給紙部３と、サーバーＥと不図示のインターネット等を介してジョブに係る情報を授受する通信部Ｃ１と、後処理装置Ｃと後処理に係る情報を授受する通信部Ｃ２と、が接続されている。
【００５２】
ＲＯＭ・ＣＲ３には予め、画像形成装置Ｂと後処理装置Ｃとを制御する各種のプログラムと、各種のデータを格納したデータファイル等と、が記憶されており、ＣＰＵ・ＣＲ１により該プログラムと該データファイル等が逐次読み出されてＲＡＭ・ＣＲ２に格納される。
【００５３】
また、ＨＤＤ・ＣＲ４は、ＣＰＵ・ＣＲ１の制御の下、原稿画像データ（例えば原稿画像読取部１で読み込んだ原稿の画像データ、又は通信部Ｃ１を介して受信した画像データ）と、ジョブ情報（例えば該原稿画像データに対応するタッチパネルＴＰで設定されたジョブ情報、又は通信部Ｃ１を介して受信した画像データに対応するジョブ情報）等を一時的に格納する。
【００５４】
タッチパネルＴＰは、ＣＰＵ・ＣＲ１の制御の下Ｉ／ＯコントローラＣＲ５を介して、前述の基本画面Ｋ１や後処理設定画面Ｋ２を表示し、表示した各画面で設定されたジョブ情報を制御部ＣＲに入力させる。
【００５５】
原稿画像読取部１は、ＣＰＵ・ＣＲ１の制御の下Ｉ／ＯコントローラＣＲ５を介して原稿画像を読み込む。
【００５６】
そして、ＣＰＵ・ＣＲ１により、読み込んだ原稿画像データとタッチパネルＴＰで設定されたジョブ情報とが対応付けられてＨＤＤ・ＣＲ４に格納される。
【００５７】
画像形成部２は、ＣＰＵ・ＣＲ１の制御の下Ｉ／ＯコントローラＣＲ５を介して用紙に画像を形成する。
【００５８】
例えば、ジョブ情報と原稿画像データに基づきＹ（イエロー）、Ｍ（マゼンタ）、Ｃ（シアン）、Ｋ（ブラック）のトナーによるカラーの原稿画像を形成し、ジョブ情報に基づきＣＬ（クリア）のトナーによる補強画像を形成する。
【００５９】
給紙部３は、ＣＰＵ・ＣＲ１の制御の下、Ｉ／ＯコントローラＣＲ５を介して、ジョブ情報に対応するサイズの用紙が収納された給紙カセットから用紙の供給を行う。
【００６０】
通信部Ｃ１は、ＣＰＵ・ＣＲ１の制御の下、Ｉ／ＯコントローラＣＲ５を介してサーバーＥと通信を行い、サーバーＥから送信される原稿画像データとジョブ情報とを受信する。そして、受信した原稿画像データとジョブ情報とがＣＰＵ・ＣＲ１により対応付けられてＨＤＤ・ＣＲ４に格納される。
【００６１】
通信部Ｃ２は、ＣＰＵ・ＣＲ１の制御の下、Ｉ／ＯコントローラＣＲ５を介して後処理時における各種情報を授受する。そして、制御部ＣＲは、通信部Ｃ２を介して後処理装置Ｃを制御して後処理を行う。
【００６２】
図４は、画像形成装置の説明図（側面）である。
【００６３】
画像形成装置の一例として以下タンデム型フルカラー複写機と称せられる画像形成装置Ｂを例に取り説明する。
【００６４】
画像形成装置Ｂの上部には、原稿Ｇを画像形成装置Ｂの原稿読み取り領域ｒに搬送する自動原稿搬送装置Ｄが載置されている。そして、自動原稿搬送装置Ｄは、給紙トレイＤ１に積載された原稿Ｇを１枚ずつピックアップして原稿読み取り領域ｒに搬送し、画像の情報が読み込まれた原稿Ｇを排紙トレイＤ２に排出する。
【００６５】
画像形成装置Ａは、操作パネルＳＰと、原稿画像読取部１と、画像形成部２（複数組の感光体２１と露光部２２と現像部２３と帯電部２４と１次転写ローラ２７と、中間転写ベルト２６と、２次転写ローラ３６）と、給紙部３と、定着装置４と、これらを制御する制御部ＣＲと、を有している。
【００６６】
原稿画像読取部１は原稿Ｇを照明する光源１１と、原稿画像をラインイメージセンサ１３に結像する光学系１２と、原稿画像を光電変換するラインイメージセンサ１３とを有している。
【００６７】
画像形成部２は、各色〔ＣＬ（クリア）、Ｙ（イエロー）、Ｍ（マゼンタ）、Ｃ（シアン）、Ｋ（ブラック）〕のトナー画像を担持する感光体２１（２１ＣＬ、２１Ｙ、２１Ｍ、２１Ｃ、２１Ｋ）と、各色に対応する潜像を形成する露光部２２（２２ＣＬ、２２Ｙ、２２Ｍ、２２Ｃ、２２Ｋ）と、各色に対応する潜像を当該色のトナーで現像する現像部２３（２３ＣＬ、２３Ｙ、２３Ｍ、２３Ｃ、２３Ｋ）と、感光体２１を一様に帯電する帯電部２４（２４ＣＬ、２４Ｙ、２４Ｍ、２４Ｃ、２４Ｋ）と、１次転写ローラ２７（２７ＣＬ、２７Ｙ、２７Ｍ、２７Ｃ、２７Ｋ）と、中間転写ベルト２６と、２次転写ローラ３６とを有している。
【００６８】
なお、中間転写ベルト２６は、ローラ２６１、２６２、２６３、２６４により回転可能に張架されたエンドレスの半導電性ベルトであって、各感光体２１（２１ＣＬ、２１Ｙ、２１Ｍ、２１Ｃ、２１Ｋ）に対向して設けられている。
【００６９】
そして画像形成部２は、各色のトナー画像を当該感光体２１に形成し、感光体２１に担持された各色のトナー画像を１次転写ローラ２７により中間転写ベルト２６に順次転写し、２次転写ローラ３６により中間転写ベルト２６に転写されたトナー画像を用紙に転写する。
【００７０】
クリーニング部２５（２５ＣＬ、２５Ｙ、２５Ｍ、２５Ｃ、２５Ｋ）は、中間転写ベルト２６に転写されずに感光体２１（２１ＣＬ、２１Ｙ、２１Ｍ、２１Ｃ、２１Ｋ）の表面に残留したトナーを除去する。
【００７１】
クリーニング部２８は、用紙Ｐに転写されず中間転写ベルト２６に残留したトナーを除去する。
【００７２】
２次転写ローラ３６は、中間転写ベルト２６に担持されたトナー画像を用紙に転写させる。
【００７３】
給紙部３は、給紙カセット３１を有し、給紙カセット３１の内部にはジョブに必要な用紙Ｐが使用者により収納されている。
【００７４】
定着装置４は、加熱部４１と加圧部４２とを有し、用紙に転写されたトナー画像を加熱・圧着により定着する。
【００７５】
操作パネルＳＰは、各種の情報を表示し、表示内容に応じて使用者が各種情報を入力する部分であり、ジョブ情報等を入力するための入力画面を表示し、該入力画面を用いて使用者がジョブ情報を設定するタッチパネルＴＰを有している。
【００７６】
そして、タッチパネルＴＰで設定されたジョブに係る情報等が制御部ＣＲに入力される。
【００７７】
制御部ＣＲは、操作パネルＳＰで設定されたジョブ情報に基づいて、画像形成装置Ｂにおける画像形成と、後処理装置Ｃにおける用紙の後処理とを、各種機器を制御して実行する。
【００７８】
そして、制御部ＣＲは用紙を折り曲げた時に生ずる角を補強する補強画像の画像データである補強画像情報を生成する補強画像情報生成部としての機能を有している。
【００７９】
次に、後処理装置について説明する。
【００８０】
図５は、後処理装置の説明図（側面）である。
【００８１】
後処理装置Ｃは、画像形成装置Ｂの下流側に位置しており、用紙折曲げ予定位置で用紙Ｐを折り曲げる折り部である折り処理部９を有している。
【００８２】
後処理装置Ｃは、上流側に位置する不図示の画像形成装置Ｂから用紙Ｐを受け入れる受入口５１と、受入口５１から供給された用紙Ｐにパンチ穴を穿孔するパンチ処理部６と、受入口５１から供給された用紙Ｐを重ね合わせる重ね合わせ部７と、複数の用紙Ｐにステープル針を打ち込んでステープル処理を行う綴じ処理部８と、１枚又は複数の用紙Ｐを折り曲げる折り処理部９と、用紙Ｐ（例えば挿入紙）を供給する第３給紙カセット５２と、パンチ処理済用紙を集積する第１集積部５３と、処理済用紙を集積する第２集積部５４と、処理済用紙を集積する第３集積部５５と、を有している。
【００８３】
Ｈ１〜Ｈ８は用紙Ｐの搬送経路である。
【００８４】
搬送路Ｈ１は、第３給紙カセット５２でピックアップされた用紙Ｐをパンチ処理部６まで搬送する搬送路である。
【００８５】
搬送路Ｈ２は、受入口５１から供給された用紙Ｐ及び搬送路Ｈ１を介して搬送された用紙Ｐを、パンチ処理部６のパンチユニット６１とダイユニット６２との間を通過して後述の搬送路Ｈ３又は搬送路Ｈ４に向けて搬送する搬送路である。
【００８６】
第３切替ゲートＧ２１は、搬送路Ｈ２を搬送される用紙Ｐの搬送経路を後述の搬送路Ｈ３又は搬送路Ｈ４に切り替える。
【００８７】
搬送路Ｈ３は、用紙Ｐを後述の搬送路Ｈ５又は搬送路Ｈ６に向けて搬送する搬送路である。
【００８８】
搬送路Ｈ５は、用紙Ｐを後述の搬送路Ｈ７又は搬送路Ｈ８に向けて搬送する搬送路である。
【００８９】
搬送路Ｈ７は、用紙Ｐを第１集積部５３に向けて搬送し、第１集積部５３に排出する搬送路である。
【００９０】
搬送路Ｈ６とＨ８は重ね合わせ部７を形成し、用紙Ｐの重ね合わせを行うための一時退避搬送路である。
【００９１】
先行する用紙Ｐ（例えばジョブの第１ページ）を搬送路Ｈ６に搬送し、後続の用紙Ｐ（例えばジョブの第２ページ）を搬送路Ｈ８に搬送して重ねあわせる。そして重ね合わせた複数の用紙を（例えば２枚）を一括して搬送路Ｈ４に向けて搬送する。
【００９２】
搬送路Ｈ４は、重ね合わせた用紙を所定枚数集積しステープル処理や折り処理を行う搬送路である。
【００９３】
そして、搬送路Ｈ４に沿って移動可能な、搬送路Ｈ４に搬送されてきた用紙の搬送方向先端部を位置決めする第１可動ストッパ９１が設けられている。
【００９４】
なお、第１可動ストッパ９１は、不図示の可動ストッパ駆動部により搬送路Ｈ４に沿って移動可能となっている。
【００９５】
パンチ処理部６は、受入口５１の近傍下流側に配置され、用紙Ｐにパンチ穴を穿孔する周知のもので構成され、パンチユニット６１とダイユニット６２を有している。
【００９６】
そして、タッチパネルＴＰで設定されたジョブ情報（穿孔処理のＯＮ）に基づいて搬送路Ｈ１を搬送される用紙Ｐにパンチ穴を穿孔する。
【００９７】
重ね合わせ部７は、搬送路Ｈ６と搬送路Ｈ８と第４切替ゲートＧ２２とを有している。
【００９８】
そして、第４切替ゲートＧ２２により先行する用紙Ｐ（例えばジョブの第１ページ目）を搬送路Ｈ６に搬送させ、第３切替ゲートＧ２１により後続する用紙Ｐ（例えばジョブの第２ページ目）を搬送路Ｈ５（Ｈ８）に搬送させ、先行する用紙Ｐと後続する用紙Ｐとを重ね合わせる。
【００９９】
綴じ処理部８は、パンチ処理部６と折り処理部９との間に配置されており、用紙束Ｐ１にステープル針を打ち込んで用紙束Ｐ１を結束する綴じユニット８１を、用紙の搬送方向と直行する方向に２式有している。
【０１００】
各綴じユニット８１は、それぞれ打針ユニット８１１と受針ユニット８１２を有しており、タッチパネルＴＰで設定されたジョブ情報（ステープル処理ＯＮ）に基づいて搬送路Ｈ４に集積された用紙束Ｐ１の所定位置にステープル針を打ち込む。
【０１０１】
折り処理部９は、綴じ処理部８の下流側に配置され、用紙Ｐ又は用紙束Ｐ１を折り曲げる部分である。
【０１０２】
そして、第１のローラ９３と第２のローラ９４と第３のローラ９５と第１折り部材９２と第２折り部材９６とを有し、第１のローラ９３と第２のローラ９４と第３のローラ９５とは不図示の回転駆動部材（例えばモータ）により回転駆動され、第１折り部材９２と第２折り部材９６とはそれぞれ不図示の駆動手段（例えばソレノイド）によりそれぞれ矢印ｃとｄ方向に前進・後退される。
【０１０３】
第１のローラ９３と第２のローラ９４と第１折り部材９２とは中折り、又はＺ折時の用紙の第１回目の折りを行うローラ対として機能し、タッチパネルＴＰで設定されたジョブ情報（折り処理のＯＮ）に基づいて用紙束Ｐ１を折り曲げる。
【０１０４】
また、第２のローラ９４と第３のローラ９５と第２折り部材９６とはＺ折時等の第２回目の折りを行うローラ対として機能し、タッチパネルＴＰで設定されたジョブ情報（折り処理のＯＮ）に基づいて用紙束Ｐ１を折り曲げる。
【０１０５】
図６は、折り処理部の詳細説明図（側面）である。
【０１０６】
折り処理部９は、第１折り部材９２と、第１のローラ９３と、第２のローラ９４と、第３のローラ９５と、第２折り部材９６と、第２可動ストッパ９７と、搬送路Ｈ９と、可動案内板９８と、を有している。
【０１０７】
ｘは第２折り部材９６の延長線を示し、ｙは搬送路Ｈ９の用紙搬送経路の延長線を示している。
【０１０８】
そして、前述したように第１折り部材９２と第１のローラ９３と第２のローラ９４とが第１回目の折処理（例えば中折や中綴じ）を行う第１折ユニット９ａを構成し、第２のローラ９４と第３のローラ９５と第２折り部材９６とが第２回目の折処理（例えばＺ折）を行う第２折ユニット９ｂを構成している。
【０１０９】
第１のローラ９３と第２のローラ９４と第３のローラ９５とは、高摩擦抵抗材（例えばシリコンゴム）により形成されており、それぞれ不図示の回転手段（ローラ駆動モータ）により回転可能（矢印ｂ方向）となっている。
【０１１０】
第１折り部材９２は、通常はその先端部が搬送路Ｈ４から退避した後退位置に位置しており、折時には不図示の駆動手段（例えばソレノイド）に付勢されて前進（矢印方向）することにより第１のローラ９３と第２のローラ９４とのニップ部９３Ｎに、用紙束Ｐ１を食い込ませることを可能としている。
【０１１１】
第２折り部材９６は、通常はその先端部が第２のローラ９４と第３のローラ９５とのニップ部９５Ｎと離間した後退位置に位置しており、折り時には不図示の駆動手段（例えばソレノイド）に付勢されて前進（矢印方向）することによりニップ部９５Ｎに、用紙束Ｐ１を食い込ませることを可能としている。
【０１１２】
第２可動ストッパ９７は、搬送路Ｈ９に搬送されてきた用紙Ｐや第１回目の折りが行われた用紙束Ｐ１の搬送方向先端部（山部）を位置決めする部分であり、不図示の可動ストッパ駆動部により搬送路Ｈ９に沿って移動可能となっている。
【０１１３】
可動案内板９８は、不図示の駆動部により駆動されて支軸９８１を中心に揺動可能となっており、Ｚ折り時（第２回目の折時）には、実線で示す位置に設定されて用紙Ｐや第１回目の折りが行われた用紙束Ｐ１を搬送路Ｈ９にガイドする。
【０１１４】
また、中折り及び中綴じ時には、破線の位置に設定されて、用紙Ｐを第３集積部５５に向けてガイドする。以下に図４〜６を参照して画像形成装置Ｂと後処理装置Ｃとの作用について説明する。
【０１１５】
ここではジョブ情報として、例えば、フルカラー、Ａ３、普通紙、片面印刷、後処理有り、坪量１３０ｇ／ｍ２、補強有り、及び中綴じ、が設定されているものとして以下説明する。
【０１１６】
先ず、画像形成装置Ｂの作用について図４を参照して説明する。
【０１１７】
画像形成装置Ｂの原稿画像読取部１は、自動原稿搬送装置Ｄにより搬送される原稿Ｇ、又は原稿画像読取部１の上に裁置された原稿Ｇの画像をラインイメージセンサ１３で読み取る。
【０１１８】
ラインイメージセンサ１３により光電変換された、アナログ信号は、アナログ処理、Ａ／Ｄ変換、シェーディング補正、画像圧縮処理等が行われ、Ｙ（イエロー）、Ｍ（マゼンタ）、Ｃ（シアン）、Ｋ（ブラック）のデジタル化された、テキスト文又は絵柄を含む原稿画像の原稿画像データとなる。
【０１１９】
また、制御部ＣＲにより操作パネルＳＰで設定されたジョブ情報（補強設定キーＫ２２のＯＮ）に基づいて、用紙を折り曲げた時に生ずる角を補強する補強画像の画像データである補強画像情報（補強画像データ）が生成される。なお、補強画像データの生成については後に詳述する。
【０１２０】
感光体２１（２１ＣＬ、２１Ｙ、２１Ｍ、２１Ｃ、２１Ｋ）は帯電部２４（２４ＣＬ、２４Ｙ、２４Ｍ、２４Ｃ、２４Ｋ）により一様に帯電され、感光体２１（２１Ｙ、２１Ｍ、２１Ｃ、２１Ｋ）には露光部２２（２２Ｙ、２２Ｍ、２２Ｃ、２２Ｋ）により原稿画像の潜像が形成される。
【０１２１】
また、感光体２１（２１ＣＬ）には、露光部２２（２２ＣＬ）により、制御部ＣＲで生成された補強画像データが補強画像の潜像として形成される。
【０１２２】
感光体２１（２１Ｙ、２１Ｍ、２１Ｃ、２１Ｋ）に形成された原稿画像の潜像は現像部２３（２３Ｙ、２３Ｍ、２３Ｃ、２３Ｋ）によりそれぞれ顕像化され、感光体２１（２１ＣＬ）に形成された補強画像の潜像は現像部２３（２３ＣＬ）により顕像化される。
【０１２３】
これにより、感光体２１ＣＬには補強画像データに基づくクリアトナーの補強画像が形成され、感光体２１Ｙ、２１Ｍ、２１Ｃ、２１Ｋには原稿画像データに基づくＹ、Ｍ、Ｃ、Ｋ、各色の原稿画像（通常画像）がそれぞれ形成される。
【０１２４】
この時、感光体２１（２１ＣＬ）に形成する補強画像の位置と、感光体２１Ｙ、２１Ｍ、２１Ｃ、２１Ｋに形成する各色の通常画像の位置との関係は、例えば中折りや中綴じの場合、１枚の用紙に転写した時に補強画像がその中央に位置し、補強画像の両側に通常画像が位置するように形成される。
【０１２５】
これは、制御部ＣＲが後述する折部位置情報ファイルＦ２を参照し、操作パネルＳＰで設定されたジョブ情報〔後処理形態（例えば中綴じ）と用紙サイズ〕に対応する折り位置情報即ち補強画像形成位置情報を取得し、感光体２１ＣＬにおいて補強画像形成位置情報に基づく位置に補強画像を形成し、感光体２１Ｙ、２１Ｍ、２１Ｃ、２１Ｋにおいてその両側に通常画像を形成することで可能となる。
【０１２６】
感光体２１ＣＬに担持されたクリアトナーの補強画像と感光体２１Ｙ、２１Ｍ、２１Ｃ、２１Ｋに担持された各色の原稿画像とは、１次転写ローラ２７ＣＬ、２７Ｙ、２７Ｍ、２７Ｃ、２７Ｋ、の押圧より中間転写ベルト２６に転写される。
【０１２７】
この時、１枚分の用紙に対応するクリアトナーの補強画像がその中央（折り予定位置）に位置し、補強画像の両側にカラーの通常画像が位置している。
【０１２８】
つまり、ジョブ情報に基づく用紙折曲げ予定位置は前述の補強画像形成位置に相当した位置である。
【０１２９】
用紙Ｐに転写されず中間転写ベルト２６に残留した各色のトナーはクリーニング部２８により除去される。
【０１３０】
給紙カセット３１に収容された用紙Ｐは給紙ローラ３２により１枚ずつピックアップされ、複数の搬送ローラ３３及びレジストローラ３４を経て転写領域３５まで搬送される。
【０１３１】
そして、搬送された用紙Ｐを２次転写ローラ３６で中間転写ベルト２６に押圧することにより、中間転写ベルト上に担持されたクリアトナーの補強画像とカラーの原稿画像とが用紙Ｐに転写される。
【０１３２】
これにより、１枚の用紙Ｐにおいて、操作パネルＳＰで設定されたジョブ情報に基づく用紙折曲げ予定位置を含む所定領域に対応する位置にクリアトナーの補強画像が形成され、それ以外の領域にカラーの原稿画像が形成される。
【０１３３】
クリアトナーの補強画像とカラーの原稿画像とが担持された用紙Ｐは中間転写ベルト２６から曲率分離され、定着装置４の加熱部４１と加圧部４２との加熱・押圧により補強画像と原稿画像とが用紙Ｐに定着される。
【０１３４】
そして、補強画像とカラーの原稿画像とが定着された用紙Ｐは排紙ローラ３７に挟持されて、排出口３８から装置外部に排出される。
【０１３５】
これにより、用紙Ｐに補強画像及び原稿画像が印刷された用紙Ｐを得ることができる。
【０１３６】
原稿画像を両面に印刷する両面印刷時、及び補強画像を両面に印刷する場合、第１切替ゲートＧ１１を切り替えて用紙Ｐの搬送経路を上流側両面搬送路３９側に切り替え、おもて面の画像形成を完了した用紙Ｐを上流側両面搬送路３９に向けて搬送する。
【０１３７】
次に、上流側両面搬送路３９を搬送される用紙Ｐを第２切替ゲートＧ１２により反転搬送路４０に導き、用紙Ｐが全て反転搬送路４０に入った後第２切替ゲートＧ１２を切り替え、用紙Ｐを逆送して下流側両面搬送路４１に向けて搬送する。
【０１３８】
そして、再び搬送ローラ３３及びレジストローラ３４を経て転写領域３５まで搬送させ、２次転写ローラ３６の押圧により中間転写ベルトに担持された補強画像及びカラーの原稿画像、又はそのいずれかを裏面に転写させる。
【０１３９】
これにより、用紙Ｐの裏面に、補強画像及び原稿画像、又はそのいずれかが印刷された用紙Ｐを得ることができる。
【０１４０】
次に、後処理装置Ｃの作用について図５、６を参照して説明する。
【０１４１】
１．先ず制御部ＣＲは準備動作として、ＨＤＤ・ＣＲ４から打針位置情報ファイルＦ１と、ジョブ情報とを、読み出す。
【０１４２】
ここでは、ジョブ情報の用紙のサイズ情報がＡ３のため、後述の打針位置情報ファイルＦ１（図９）から用紙サイズＡ３に対応する第１可動ストッパの停止位置情報ｄ１４と、用紙サイズＡ３に対応する打針位置情報ｄ１８と、を取得する。
【０１４３】
そして、取得した第１可動ストッパの停止位置情報ｄ１４と、綴じ処理部８における用紙搬送方向の打針位置から第１可動ストッパ９１の用紙突き当て面までの距離と、が等しくなるように第１可動ストッパ９１を移動させる（実線）。
【０１４４】
即ち、Ａ３サイズの用紙の搬送方向中央部が、綴じ処理部８における用紙搬送方向の打針位置に来るように、第１可動ストッパ９１が移動される。
【０１４５】
また、用紙の搬送方向と直交方向に配置された２式の綴じユニット８１のうち少なくとも一方を、両者の離間距離が打針位置情報ｄ１８に等しくなるように移動させる。
【０１４６】
２．ジョブの第１ページ目、第２ページ目、第３ページ目・・・の用紙Ｐが不図示の画像形成装置Ｂから排出され、順次受入口５１に投入される。そして、搬送路Ｈ２を通過して第３切替ゲートＧ２１により搬送路Ｈ３に向けて搬送される。
【０１４７】
３．搬送路Ｈ３を搬送される第１ページ目の用紙Ｐ（先行用紙）は第４切替ゲートＧ２２により重ね合わせ部７を形成する搬送路Ｈ６に搬送され、ジョブの第２ページ目の用紙Ｐ（後続用紙）は第４切替ゲートＧ２２の切り替えにより搬送路Ｈ５とＨ８に搬送される。これにより、先行用紙と後続用紙とが重ね合わせ部７で重ね合わされる。
【０１４８】
４．重ね合わされた先行用紙と後続用紙とはスイッチバックされ、先行用紙が後続用紙に対して図示左側に位置する状態で搬送路Ｈ３と搬送路Ｈ４とを搬送される。
【０１４９】
５．搬送路Ｈ４を搬送される重ね合わされた用紙は、準備動作により用紙のサイズに応じた位置に移動した第１可動ストッパ９１（実線）に用紙先端が突き当たる。
【０１５０】
なお、第１可動ストッパ９１は、１項で説明したようにＡ３サイズの用紙の搬送方向中央部が綴じ処理部８における用紙搬送方向の打針位置に移動されており、結果として、画像形成装置でステープル補強トナー画像が形成されたＡ３サイズの用紙の搬送方向中央部が、綴じ処理部８における用紙搬送方向の打針位置に一致する。
【０１５１】
６．第３ページ目以降の用紙に対して２〜５項の動作を繰り返し、ジョブに対応する１纏まりの用紙束Ｐ１が重ね合わせ部７に集積される。
【０１５２】
７．そして、ジョブ情報として中綴じが設定されているため、重ね合わせ部７に形成された１纏まりの用紙束Ｐ１に対して綴じ処理部８でステープル針が打ち込まれる。
【０１５３】
なお、ジョブ情報のうちステープル処理が設定されている場合も同様にしてステープル針を打ち込む。
【０１５４】
これにより、既に画像形成装置Ｂによりステープル補強トナー画像が形成された位置にステープル針を打ちこむことが可能となる。
【０１５５】
後述の情報として中折りが設定されている場合も同様にして中折りを行う。
【０１５６】
以下、用紙の搬送方向中央部を折り曲げる中折り動作について説明する。
【０１５７】
９．後述の折部位置情報ファイルＦ２（図１０）を参照して、中綴じとＡ３に対応する山折位置データｄ２４を得る。
【０１５８】
１０、不図示の可動ストッパ駆動部を制御して、取得した山折位置ｄ２４（２１０ｍｍ）情報と、折り処理部９の第１折り部材９２から第１可動ストッパ９１の用紙突き当て面までの距離と、が等しくなるように第１可動ストッパ９１を移動させる（破線）。
【０１５９】
これにより、用紙束Ｐ１の搬送方向中央部が折り処理部９の第１折り部材９２と対向する。
【０１６０】
１１．第１折り部材９２が用紙束Ｐ１に向かって前進し、用紙束Ｐ１の搬送方向中央部は前進する第１折り部材９２により折り曲げられ、回転する第１のローラ９３と第２のローラ９４との間に搬送方向中央部が押し込まれる。
【０１６１】
この時、最外部の用紙の搬送方向中央部には画像形成装置で既に補強画像（折り目補強トナー画像）が形成されている。
【０１６２】
押し込まれた用紙束Ｐ１は回転する第１のローラ９３と第２のローラ９４とにより押圧され用紙束Ｐ１の搬送方向中央部が折れ曲がり、冊子形態となる。
【０１６３】
１２．冊子形態となった用紙束Ｐ１（冊子Ｐ２）は、回転する第１のローラ９３と第２のローラ９４とにより搬送されて第３集積部５５に排出される。
【０１６４】
なお、基本画面Ｋ１で後処理キーＫ１４が選択されていない場合は、用紙Ｐは後処理が行われずに第１集積部５３に排出される。
【０１６５】
これにより、画像形成装置Ｂにより、用紙Ｐの搬送方向中央部であり、用紙Ｐの搬送方向中央部に形成された補強画像の中央を、折り曲げることが可能となり、冊子Ｐ２の背が補強画像で補強された冊子Ｐ２を得ることができる。
【０１６６】
従って、例えばジョブの第１枚目である表紙を外側にし、ジョブの第２枚目以降である内容紙が表紙に内包された冊子Ｐ２とすることができる。
【０１６７】
これにより、冊子Ｐ２の第１枚目である表紙の山折り部（即ち冊子Ｐ２の背）にクリアトナーを塗布し、各用紙のステープル部にクリアトナーを塗布することになるので、強度（特に耐擦性と、綴じ部の破れ性）が強い冊子Ｐ２を得ることができる。また、２枚目以降の折り部にクリアトナーは塗布されていないので、折り動作に必要な駆動力は、１枚目も含めて全くクリアトナーが塗布されていない場合とほぼ同等で済み、折り曲げ動作を容易に行うことが可能になる。
【０１６８】
以下に、画像形成装置Ｂにおける各種画面と各種ファイルを用いた補強画像を形成する方法と、後処理装置における各種ファイルを用いた用紙の折曲げ処理と、について説明するが、先ず各種画面と各種ファイルについて詳しく説明する。
【０１６９】
なお、以下に示す画面構成とデータファイル構成とはその１例を示すもので。同様な機能を満たせばどのような構成であっても良いことはいうまでもない。
【０１７０】
図７は、基本画面の１例を示す図である。
【０１７１】
操作パネルＳＰに表示するジョブ情報設定画面の１つである基本画面Ｋ１は、出力画像の種類を設定する出力画像設定領域Ｋ１１と、使用する用紙のサイズと紙種と坪量とを設定する出力用紙設定領域Ｋ１２と、用紙のいずれの面に画像を形成するか設定する出力面設定領域Ｋ１３と、後処理を行うか否かを設定する後処理キーＫ１４と、を有している。
【０１７２】
そして、出力画像設定領域Ｋ１１には当該ジョブをどのような色で印刷するか設定する例えばフルカラーキーＫ１１１と、２色カラーキーＫ１１２と、モノクロキーＫ１１３が表示される。
【０１７３】
又、出力用紙設定領域Ｋ１２には当該ジョブをどのようなサイズの用紙で印刷するか設定する例えばＢ５キーＫ１２１とＡ４キーＫ１２２とＢ４キーＫ１２３とＡ３キーＫ１２４、及び、当該ジョブをどのような用紙で印刷するか設定する例えば普通紙キーＫ１２５とコート紙キーＫ１２６、及び、当該ジョブをいくつの坪量の用紙で印刷するか設定する０〜９の数字キーＫ１２７が表示される。
【０１７４】
又、出力面設定領域Ｋ１３には当該ジョブをどのような印刷形態で印刷するか設定する例えば両面キーＫ１３１と片面キーＫ１３２が表示される。
【０１７５】
そして、各キーで設定された当該ジョブに対するジョブ情報が制御部ＣＲに入力され、後処理キーＫ１４が設定されると後述の後処理設定画面Ｋ２に遷移する。
【０１７６】
図８は、後処理の形態を設定する後処理設定画面の１例を示す図である。
【０１７７】
操作パネルＳＰに表示するジョブ情報設定画面の１つである後処理設定画面Ｋ２は、当該ジョブの後処理形態を設定する後処理形態設定領域Ｋ２１と、補強画像を印刷するか否かを設定する補強設定キーＫ２２と、を有している。
【０１７８】
後処理形態設定領域Ｋ２１には、当該ジョブの後処理形態としてどのような後処理を行うかを設定する、例えばステープルキーＫ２１１とパンチキーＫ２１２と中折キーＫ２１３とＺ折キーＫ２１４と中綴じキーＫ２１５とが表示される。
【０１７９】
そして、各キーで設定された後処理情報が制御部ＣＲに入力され、後処理装置Ｃで当該後処理が行われる。
【０１８０】
また、補強設定キーＫ２２は補強画像を形成するか否かを設定するキーである。
【０１８１】
そして補強設定キーＫ２２がＯＮとなると、ステープル処理、中折処理、Ｚ折処理、及び中綴じ処理のうちいずれか１つが設定された場合、ステープル処理時の打針部、及び中折処理とＺ折処理と中綴じ処理時との折り部に、画像形成装置Ｂで補強画像を形成する。
【０１８２】
図９は、打針位置情報ファイルの説明図である。
【０１８３】
このファイルはＲＯＭ・ＣＲ３に格納されており、少なくとも各種のステープル処理と中綴じ処理の実行時に読み出されるが、以下中綴じ処理を行う場合について説明する。
【０１８４】
打針位置情報ファイルＦ１は、各種用紙サイズが記載された用紙サイズ欄ｆ１１と、少なくとも中綴じ時における該各種用紙サイズに対する第１可動ストッパ９１の用紙搬送方向における好ましい停止位置が記載された停止位置データ欄ｆ１２と、用紙搬送方向と直交方向における好ましい打針位置が記載された打針位置データ欄ｆ１３と、を有している。
【０１８５】
なお、第１可動ストッパ９１の用紙搬送方向における好ましい停止位置とは、後述する綴じユニット８１の打針位置から、第１可動ストッパ９１の用紙当接面９１１まで、の距離である。
【０１８６】
そして、停止位置データ欄ｆ１２に記載されたデータｄ１１〜ｄ１４は、中綴じ処理を行う各サイズの用紙の搬送方向全長の１／２と等しい値であり、例えばＡ３サイズに対応するｄ１４は２１０ｍｍである。
【０１８７】
また、打針位置データ欄ｆ１３に記載されたデータｄ１５〜ｄ１８は、後述する後処理装置の綴じ処理部における、用紙搬送方向と直交方向に配置された２対の綴じユニットの離間距離である。
【０１８８】
そして、ｄ１５、ｄ１６、ｄ１７、ｄ１８はそれぞれ例えば１５０ｍｍである。
【０１８９】
以上中綴じ処理について説明したが、他の綴じ処理についても同様にして予め打針位置情報ファイルを設けることができることはいうまでもない。
【０１９０】
次に、中折処理時とＺ折処理時と中綴じ処理時とにおける、用紙搬送方向の、第１回目の折り位置と第２回目の折り位置とが記された折り位置情報ファイルについて説明する。
【０１９１】
図１０は、折り位置情報ファイルの説明図である。
【０１９２】
このファイルはＲＯＭ・ＣＲ３に格納されており、少なくとも中折り処理と中綴じ処理とＺ折り処理との実行時に読み出される。
【０１９３】
折部位置情報ファイルＦ２は、後処理装置で行う折り処理の種類に係る折り形態と用紙のサイズとの組み合わせが記載された折形態／用紙サイズ欄ｆ２１と、当該組み合わせに対する第１回目の好ましい折り位置が記載された第１回折り位置欄ｆ２２と、第２回目の好ましい折り位置が記載された第２回折り位置欄ｆ２３と、を有している。
【０１９４】
なお、当該組み合わせに対する第１回目の好ましい折り位置とは、後述する第１折部材９２の設置位置から第１可動ストッパ９１の用紙当接面９１１までの距離であり、第２回目の好ましい折り位置とは、後述する第２折部材９６の設置位置から第２可動ストッパ９７の用紙当接面９７１までの距離である。
【０１９５】
即ち、好ましい折り位置である用紙折曲げ予定位置は、折り処理部９で設定されたジョブ情報のうち、使用する用紙のサイズに係る情報と、前記後処理装置で行う折り処理の種類に係る情報と、により定まる位置である。
【０１９６】
そして、第１回折り位置欄ｆ２２に記載された、中折り、中綴じ時の折り位置情報であるデータｄ２１〜ｄ２４は、折り処理を行う各サイズの用紙の搬送方向全長の１／２と等しい値であり、例えばＡ３サイズに対応するｄ２４は２１０ｍｍである。
【０１９７】
Ｚ折りについては、折り曲げられた各面の搬送方向長さは第１可動ストッパ９１の停止位置と第２可動ストッパ９７の停止位置を変えることによって各種選択できるが、ここでは各面の搬送方向長さが等しい場合について説明する。
【０１９８】
第１回折り位置欄ｆ２２に記載された、Ｚ折り時の折り位置情報であるデータｄ２５〜ｄ２８は、折り処理を行う各サイズの用紙の搬送方向全長の例えば１／３と等しい値であり、Ａ３サイズに対応するｄ２８は１４０ｍｍである。
【０１９９】
また、第２回折り位置欄ｆ２３に記載されたＺ折り時の第２回目の折り位置情報である距離データｄ３１〜ｄ３４は、折り処理を行う各サイズの用紙の搬送方向全長の例えば１／３と等しい値であり、Ａ３サイズに対応するｄ３４は１４０ｍｍである。
【０２００】
画像形成システムは折り位置に補強画像を形成することから、第１回折り位置欄ｆ２２に記載されたデータｄ２１〜ｄ２８は当該位置を中心にして補強画像を形成することも意味している。また、第２回折り位置欄ｆ２３に記載されたデータｄ３１〜ｄ３４は当該位置を中心にして補強画像を形成することも意味している。
【０２０１】
例えば、折形態／用紙サイズ欄ｆ２１の中綴じ、Ａ３の場合は、第１回折り位置欄ｆ２２のデータｄ２４（２１０ｍｍ）位置、即ち画像形成部２において、搬送される用紙の先端から下流側にデータｄ２４（２１０ｍｍ）離れた位置を中心にして所定の幅の補強画像を形成することを意味している。
【０２０２】
前述したように、画像形成装置における補強画像の形成位置と、後処理装置における折り曲げ位置とが、同一のデータファイル（折部位置情報ファイルＦ２）の同一のデータ（例えば用紙折曲げ予定位置であり補強画像の形成位置でもあるデータｄ２８）により、形成及び折り曲げられるため、必ず補強画像と折り曲げ位置とが一致する。
【０２０３】
次に、用紙の坪量に対するクリアトナーの塗布幅が記されたクリアトナー塗布幅情報ファイルについて説明する。
【０２０４】
図１１は、クリアトナー塗布幅情報ファイルの説明図である。
【０２０５】
このファイルはＲＯＭ・ＣＲ３に格納されており、少なくとも折り処理を行う例えば中折り処理と中綴じ処理とＺ折り処理との実行時に読み出される。
【０２０６】
クリアトナー塗布幅情報ファイルＦ３は、各種の用紙の坪量が記載された坪量欄ｆ３１と、各坪量に対するクリアトナー（補強画像）の塗布幅が記載された塗布幅データ欄ｆ３２とを有している。
【０２０７】
クリアトナーの塗布幅とは、操作パネルＳＰで設定されたジョブ情報のうち、用紙の坪量に係る情報により定まる幅であり、補強画像を形成する用紙折曲げ予定位置を中心にして、両側に所定の幅を持つ領域の全幅寸法（搬送方向）である。
【０２０８】
そして、塗布幅データ欄ｆ３２に記載されたデータｄ４１〜ｄ４３は、坪量に応じた値であり、ｄ４１＜ｄ４２＜ｄ４３の関係を有し、例えば坪量１５９ｇ／ｍ２〜２２０ｇ／ｍ２に対応するｄ４２は１０ｍｍ程度である。
【０２０９】
このように、坪量が大きくなるに従いクリアトナー塗布幅を増加させることにより、小坪量の用紙より剛性が高い大坪量の用紙であっても、折り処理部９における折処理時に目的の折位置で折れ曲がらずにクリアトナー塗布部と非塗布部との境界で用紙が折り曲がってしまうことを防止可能となる。
【０２１０】
次に、用紙の種類と坪量と印刷形態と折り側との組み合わせに対する、クリアトナーの単位面積当たりの塗布量が記されたクリアトナー量情報ファイルについて説明する。
【０２１１】
図１２は、クリアトナー塗布量情報ファイルの説明図である。
【０２１２】
このファイルはＲＯＭ・ＣＲ３に格納されており、中綴じ処理を含む少なくとも各種の折り処理の実行時に読み出される。
【０２１３】
クリアトナー塗布量情報ファイルＦ４は、用紙の種類と坪量と印刷形態（片面／両面）と折側（山側／谷側）との組合わせが記載された、紙種／坪量／印刷形態／折側欄ｆ４１と、各組み合わせに対するクリアトナー（補強画像）の単位面積当たりの塗布量が記載された塗布量データ欄ｆ４２とを有している。
【０２１４】
そして、塗布量データ欄ｆ４２に記載された、片面印刷時の山側に対応するデータｗ１１と、ｗ１４と、ｗ１７と、ｗ１９と、はｗ１１＞ｗ１４＞ｗ１７＞ｗ１９の関係を有し、例えば坪量が１２８ｇ／ｍ２〜１５７ｇ／ｍ２で片面、山側に対応するデータｗ１７は２〜２．５ｇ／ｍ２程度である。
【０２１５】
又、両面印刷時の山側に対応するデータｗ１２と、ｗ１５と、ｗ１８と、ｗ２０と、はｗ１２＞ｗ１５＞ｗ１８＞ｗ２０の関係を有し、例えば坪量が１２８ｇ／ｍ２〜１５７ｇ／ｍ２で、両面、山側に対応するデータｗ２０は３〜４ｇ／ｍ２程度である。
【０２１６】
又、両面・谷側、の坪量５５〜８０ｇ／ｍ２と、８１ｇ／ｍ２〜１２７ｇ／ｍ２と、に対応するｗ１３と、ｗ１６と、は例えばそれぞれ１ｇ／ｍ２である。
【０２１７】
なお、普通紙とコート紙とは同様な値となっている。
【０２１８】
又、片面印刷時の谷側にはクリアトナーの塗布を行わない。
【０２１９】
なお、クリアトナーの塗布量データｗ１１〜ｗ２０、ｗ５１〜ｗ６０は、予め実験を行い、用紙の折曲げ部の補強が可能で且つ用紙や複数の用紙で構成された冊子を折り曲げる時に、用紙や冊子の折曲げ部分で反発せずに、折り曲げが容易に行える塗布量として決定された塗布量である。
【０２２０】
このように、片面、両面の各印刷において、坪量がより小さい方が塗布量を多くすることにより、坪量が小さく強度の小さい用紙でも折曲げ部分（山部）の強度を上げることが可能となる。
【０２２１】
また、１２７ｇ／ｍ２の坪量以下の用紙に両面印刷を行う場合には、山側と谷側との両者にクリアトナーの塗布を行うことにより、山側のみにクリアトナーの塗布を行う場合に比べて、クリアトナーの全塗布量を減らすことが可能となる。
【０２２２】
しかし、１２８ｇ／ｍ２の坪量以上の用紙に両面印刷を行う場合には、山側と谷側との両者にクリアトナーの塗布を行うと、折り難くなるため山側のみにクリアトナーの塗布を行う。
【０２２３】
以下に画像形成装置Ｂにおいて、各種画面とファイルを用いて補強画像を形成する方法について詳しく説明する。
【０２２４】
１．基本画面Ｋ１と後処理設定画面Ｋ２の表示
タッチパネルＴＰに図７と図８を参照して説明した基本画面Ｋ１と後処理設定画面Ｋ２を表示させる。
【０２２５】
２．原稿画像情報とジョブ情報の取得
原稿画像読取部１で読み込まれた１纏まりの原稿画像情報と、タッチパネルＴＰで設定された当該原稿画像情報に対応するジョブ情報と、を対応付けてＨＤＤ・ＣＲ４に格納する。
【０２２６】
なお、サーバーＥから通信部Ｃ１を介して送信された１纏まりの原稿画像情報と当該原稿画像情報に対応するジョブ情報と、を対応付けてＨＤＤ・ＣＲ４に格納しても良い。
【０２２７】
ここでは基本画面Ｋ１で、フルカラーキーＫ１１１と、Ａ３キーＫ１２４と、普通紙キーＫ１２５と、片面キーＫ１３２と、後処理キーＫ１４と、数字キーＫ１２７で１３０と、が選択され、且つ後処理設定画面Ｋ２で、補強設定キーＫ２２と、中綴じキーＫ２１５と、が選択されることにより、ジョブ情報として、フルカラー、Ａ３、普通紙、片面印刷、後処理有り、坪量１３０ｇ／ｍ２、補強有り、及び中綴じ、が設定されたものとして以下説明する。
【０２２８】
設定されたジョブ情報（フルカラー、Ａ３、普通紙、片面印刷、後処理有り、坪量１３０、補強有り、及び中綴じ）をＨＤＤ・ＣＲ４に格納する。
【０２２９】
３．補強画像データの取得
３−１．ＨＤＤ・ＣＲ４に格納したジョブ情報のうち補強画像形成に係る各情報（Ａ３、普通紙、片面印刷、後処理有り、坪量１３０ｇ／ｍ２、補強有り、及び中綴じ）を読み出す。
【０２３０】
３−２．補強画像形成位置情報の取得
補強画像形成位置情報である折り位置情報を取得するため、折部位置情報ファイルＦ２を読み出す。
【０２３１】
そして、読み出した折部位置情報ファイルＦ２の折形態／用紙サイズ欄ｆ２１の内容と、前項で読み出したジョブ情報とを比較する。
【０２３２】
ここではジョブ情報として（Ａ３、普通紙、片面印刷、後処理有り、坪量１３０ｇ／ｍ２、補強有り、及び中綴じ）が設定されているため、ジョブ情報の（中綴じとＡ３）に対応する、折部位置情報ファイルＦ２の第１回折り位置データ即ち補強画像形成位置情報ｄ２４（２１０ｍｍ）を取得する。
【０２３３】
これにより、画像形成部２において、補強画像を用紙先端から下流側にデータｄ２４分（２１０ｍｍ）離れた位置に形成するものと判断する。
【０２３４】
３−３．補強画像の幅の取得
補強画像の幅即ちクリアトナーによる補強幅を取得するため、クリアトナー塗布幅情報ファイルＦ３を読み出す。
【０２３５】
そして、読み出したクリアトナー塗布幅情報ファイルＦ３の用紙坪量欄ｆ３１の内容と、ジョブ情報のうち坪量情報と、を比較する。
【０２３６】
ここではジョブ情報としてＡ３、普通紙、片面印刷、後処理有り、坪量１３０ｇ／ｍ２、補強有り、及び中綴じ、が設定されているため、ジョブ情報の（坪量１３０ｇ／ｍ２）に対応する、塗布幅情報欄ｆ３２のｄ４１（例えば５ｍｍ）を取得する。
【０２３７】
これにより、折位置、即ち画像形成部２において、用紙先端から下流側にデータｄ２４分（２１０ｍｍ）離れた位置を中心に、搬送方向前後各２．５ｍｍの範囲にクリアトナーによる補強画像を形成するものと判断する。
【０２３８】
３−４．クリアトナーの塗布量の取得
次いで、クリアトナー塗布量情報ファイルＦ４を読み出す。
【０２３９】
そして、読み出したクリアトナー塗布量情報ファイルＦ４の紙種／坪量／印刷形態／折側情報欄ｆ４１の内容と、ジョブ情報とを比較する。
【０２４０】
ここではジョブ情報として、Ａ３、普通紙、片面印刷、後処理有り、坪量１３０ｇ／ｍ２、補強有り、及び中綴じ、が設定されているため、ジョブ情報の（普通紙×坪量１３０×片面）に対応する、塗布量情報欄ｆ４２のｗ１７（例えば３〜４ｍｍ）を取得する。
【０２４１】
即ち、操作パネルＳＰで設定されたジョブ情報に基づく用紙の坪量に応じて、用紙折曲げ予定位置を含む所定領域に単位面積当たり所定の量のトナーで前記補強画像を形成する。
【０２４２】
これにより、折位置の山側、即ち画像形成部２において片面（用紙のおもて面）印刷時の用紙先端から下流側にデータｄ２４分（２１０ｍｍ）離れた位置に３〜４ｍｍｇ／ｍ２の塗布量で補強画像を形成するものと判断する。
【０２４３】
以上により、用紙先端から２１０ｍｍの位置を中心にして、搬送方向前後各２．５ｍｍに亘り、用紙のおもて面に、折り目補強トナー画像を塗布量３〜４ｇ／ｍ２で形成するという補強画像データを取得する。
【０２４４】
即ち、折り処理部９で用紙を折り曲げる時に、外側に向いて凸となる角を含む領域に前記補強画像を形成する。
【０２４５】
４．画像データの生成
用紙に形成する画像の画像データを生成する。
【０２４６】
ＨＤＤ・ＣＲ４に格納されている１纏まりの原稿画像情報を読み出し、１纏まりの原稿画像情報のうち第１ページ目の原稿画像データに対して、前記３項で取得した補強画像データを追加して第１ページ目の画像データを生成する。
【０２４７】
なお、第２ページ以降は前記３項で取得した補強画像データを追加せず、１纏まりの原稿画像情報のうち第２ページ目以降の原稿画像情報を原稿画像データとする。
【０２４８】
５．画像形成
前記４項で取得した第１ページ目の画像データのうち、補強画像データにより露光部２２ＣＬで感光体２１ＣＬ上に潜像を形成し、現像部２３ＣＬでクリアトナーにより潜像を顕像化してクリアトナーによる補強画像（折り目補強トナー画像）を形成する。
【０２４９】
そして、第１ページ目の画像データのうち第１ページ目の原稿画像データにより露光部２２Ｙ〜２２Ｋで感光体２１Ｙ〜２１Ｋ上に潜像を形成し、現像部２３Ｙ〜２３Ｋで各色トナーにより潜像を顕像化し、各色トナーによる原稿画像を形成する。
【０２５０】
なお、この時すでに説明したように、感光体２１（２１ＣＬ）に形成する補強画像の位置と、感光体２１Ｙ、２１Ｍ、２１Ｃ、２１Ｋに形成する各色の通常画像の位置とは、例えば中折りや中綴じの場合、１枚の用紙に転写した時に補強画像がその中央に位置して補強画像の両側に通常画像が位置するように形成する。
【０２５１】
又、前記４項で取得した第２ページ目以降の原稿画像データに基づき露光部２２Ｙ〜２２Ｋで感光体２１Ｙ〜２１Ｋ上に潜像を形成し、現像部２３Ｙ〜２３Ｋで各色トナーにより潜像を顕像化し、各色トナーによる原稿画像を形成する。
【０２５２】
以上折り曲げ予定位置に補強画像を形成する構成・方法について説明したが、同様な技術思想に基づいてステープル針を打ち込むステープル予定位置に補強画像（ステープル補強トナー画像）を形成できることは言うまでもない。
【０２５３】
この場合は、打針位置情報ファイルＦ１から、ジョブで設定された用紙サイズ（例えばＡ３）に対する、第１可動ストッパ停止位置データ欄ｆ１２のｄ１４（例えば２１０ｍｍ）と打針位置データ欄ｆ１３のｄ１８（例えば１５０ｍｍ）とを読み出す。
【０２５４】
そして、冊子形態とした場合に一番内側に位置する用紙の画像データとして、停止位置データ欄ｆ１２のｄ１４と打針位置データ欄ｆ１３のｄ１８（例えば１５０ｍｍ）とに相当する部分を中心としてステープル針を取り囲む楕円状のステープル補強トナー画像を生成し、生成したステープル補強トナー画像に基づいて、露光部２２ＣＬで感光体２１ＣＬ上に当該潜像を形成し、現像部２３ＣＬでクリアトナーにより当該潜像を顕像化し、クリアトナーによる補強画像（ステープル補強トナー画像）を形成することで可能となる。
【０２５５】
従って、ステープル補強トナー画像を形成する場合は用紙を反転し、用紙の裏面に形成することが好ましい。
【０２５６】
なお、用紙にパンチ穴を穿孔するパンチ処理の場合にも同様な技術思想に基づいて、パンチ穴を中心に所定の大きさの補強画像を形成することができることはいうまでもない。
【０２５７】
この場合は、第１ページ目の用紙と最終ページの用紙とに補強画像を形成することが好ましい。
【０２５８】
以上により、操作パネルＳＰで設定されたジョブ情報のうち、用紙のサイズと折り処理やステープル処理の形態（例えば中折り、Ｚ折り、中綴じ等）と等により定まる、用紙の各面の搬送方向１辺の長さ（折り曲げられた１面の長さ）に応じた位置に、画像形成装置Ｂで補強画像（折り目補強トナー画像及び／又はステープル補強トナー画像）を形成することが可能となる。
【０２５９】
以上、タンデム型フルカラー複写機を例に挙げて説明したが、モノクロ複写機に適用できることは言うまでもない。
【０２６０】
この場合は、画像形成部２は、感光体２１（２１ＣＬ、２１Ｋ）と、露光部２２（２２ＣＬ、２２Ｋ）と、現像部２３（２３ＣＬ、２３Ｋ）と、帯電部２４（２４ＣＬ、２４Ｋ）と、感光体２１に担持されたトナー画像を用紙に転写する転写ローラと、で構成される。
【０２６１】
以下に、後処理装置における各種ファイルを用いた用紙の折曲げ処理の方法について詳しく説明する。
【０２６２】
図１３は、折り処理部における折動作の詳細説明図（側面）である。
【０２６３】
以下に図１３（ａ）〜（ｄ）を参照して折り処理部９の動作について説明する。
【０２６４】
図において折り処理部９の上流側に位置する綴じ処理部８（不図示）で綴じ処理が行われた用紙束Ｐ１は、ジョブの第１枚目である例えば表紙用紙Ｐ２１が図示左側に位置し、ジョブの第２枚目以降である例えば内用紙Ｐ２２が図示右側に位置して搬送路Ｈ４を搬送されてくる。
【０２６５】
そして、ジョブ（中綴じ）の第１枚目である例えば表紙用紙Ｐ２１の用紙折曲げ予定位置には、画像形成装置Ｂにより、表紙用紙Ｐ２１の図示左面に折り目補強トナー画像が既に形成されている。
【０２６６】
また、Ｚ折りを行う用紙Ｐの第１回目の用紙折曲げ予定位置には、画像形成装置Ｂにより、用紙Ｐの図示左面に折り目補強トナー画像が既に形成され、第２回目の用紙折曲げ予定位置には用紙Ｐの図示右側面に折り目補強トナー画像が既に形成されているものとして、以下説明する。
【０２６７】
即ち、折り処理部９で用紙Ｐを複数回折り曲げる時に、内側に生ずる複数の凹部のうち、一部の凹部の先端を含む領域である用紙折曲げ予定位置には、折り目補強トナー画像が既に形成されている。
【０２６８】
以下に画像形成装置Ｂにおける、用紙又は用紙束を折り曲げる折り処理の流れについて説明する。
【０２６９】
ここでは、前述したように、基本画面Ｋ１で、フルカラーキーＫ１１１とＡ３キーＫ１２４と普通紙キーＫ１２５と片面キーＫ１３２と後処理キーＫ１４と数字キーＫ１２７で１３０とが選択され、後処理設定画面Ｋ２で、補強設定キーＫ２２と中綴じキーＫ２１５とが選択されており、ジョブ情報として、フルカラー、Ａ３、普通紙、片面印刷、後処理有り、坪量１３０、補強有り、及び中綴じ、が設定され、これらの情報がＨＤＤ・ＣＲ４に格納されているものとして以下説明する。
【０２７０】
用紙Ｐ又は用紙束Ｐ１の搬送方向先端部Ｐ１１が第１可動ストッパ９１の用紙当接面９１１に当接するまでは、第１折り部材９２は後退して、用紙Ｐ又は用紙束Ｐ１が搬送路Ｈ４を通過することを可能にしている。
【０２７１】
また、第２折り部材９６は後退して、用紙Ｐ又は用紙束Ｐ１が搬送路Ｈ９を通過することを可能にしている。
【０２７２】
１．第１可動ストッパ９１と第２可動ストッパ９７との位置決め。
【０２７３】
１−１．ＨＤＤ・ＣＲ４に格納したジョブ情報（フルカラー、Ａ３、普通紙、片面印刷、後処理有り、坪量１３０ｇ／ｍ２、補強有り、及び中綴じ）を読み出す。
【０２７４】
１−２．折り位置情報の取得
次いで、折部位置情報ファイルＦ２を読み出す。
【０２７５】
そして、読み出した折部位置情報ファイルＦ２の折形態／用紙サイズ欄ｆ２１の内容と、前項で読み出したジョブ情報とを比較する。
【０２７６】
ここではジョブ情報として（フルカラー、Ａ３、普通紙、片面印刷、後処理有り、坪量１３０、補強有り、及び中綴じ）が設定されているため、ジョブ情報の（中綴じとＡ３）に対応する、折部位置情報ファイルＦ２の第１回折り位置ｄ２４（２１０ｍｍ）を取得する。
【０２７７】
これにより、用紙の先端から２１０ｍｍの位置で用紙を折り曲げるために、第１可動ストッパ９１の停止位置を、折り処理部９の第１折り部材９２による折り曲げ位置から２１０ｍｍ離間した位置とすれば良いと判断する。
【０２７８】
第２回折り位置情報は記載なし（−）となっているため第２回目の折処理（谷側の折り）を行わないものと判断する。
【０２７９】
なお、ジョブ情報としてＺ折りが設定されている場合は、ジョブ情報の（Ｚ折りとＡ３）に対応する、折部位置情報ファイルＦ２の第１回折り位置ｄ２８（１４０ｍｍ）と、折部位置情報ファイルＦ２の第２回折り位置ｄ３４（１４０ｍｍ）と、を取得する。
【０２８０】
これにより、用紙の先端から１４０ｍｍの位置で第１回目の折り曲げを行うために、第１可動ストッパ９１の停止位置を、折り処理部９の第１折り部材９２による折り曲げ位置から１４０ｍｍ離間した位置とすれば良いと判断する。
【０２８１】
また、第１回目の折りが完了した用紙の先端（山部）から１４０ｍｍの位置（用紙の先端から２８０ｍｍの位置）で第２回目の折り曲げを行うために、第２可動ストッパ９１の停止位置を、第２折り部材９６による折り曲げ位置から１４０ｍｍ離間した位置とすれば良いと判断する。
【０２８２】
１−３．第１可動ストッパ９１の位置決め
ジョブ情報に応じた位置に第１可動ストッパ９１を移動させる。ここでは中綴じが設定されているため、図１３（ａ）において、折部位置情報ファイルＦ２の第１回折り位置ｄ２４に対応する位置に不図示の可動ストッパ駆動部により第１可動ストッパ９１を移動させる。
【０２８３】
つまり、第１折り部材９２から第１可動ストッパ９１の用紙当接面９１１までの距離Ｌ１が、第１回折り位置（山折り部）ｄ２４に相当する距離（例えばＡ３の場合は２１０ｍｍ）になるように第１可動ストッパ９１を移動させる。
【０２８４】
なお、ジョブ情報としてＺ折りが設定されている場合は、第１折り部材９２から第１可動ストッパ９１の用紙当接面９１１までの距離Ｌ１が、第１回折り位置ｄ２８に相当する距離（例えばＡ３の場合は１４０ｍｍ）になるように第１可動ストッパ９１を移動させる。
【０２８５】
１−４．第２可動ストッパ９７の位置決め
ジョブ情報に応じた位置に第２可動ストッパ９７を移動させる。ここでは中綴じが設定されており、第２回目の折処理を行わないため、第２可動ストッパ９７の位置決めは行わず、現位置を保持する。
【０２８６】
なお、ジョブ情報としてＺ折りが設定されている場合は、第２折り部材９６から第２可動ストッパ９７の用紙当接面９７１までの距離Ｌ２が、第２回折り位置ｄ３４に相当する距離（例えばＡ３の場合は１４０ｍｍ）になるように第２可動ストッパ９７を移動させる。
【０２８７】
距離Ｌ２は、第２折り部材９６の延長線ｘと搬送路Ｈ９の用紙搬送経路の延長線ｙとの交点から第２可動ストッパ９７の用紙当接面９７１までの距離である。
【０２８８】
２．第１回目の折り実行
図１３（ｂ）において、第１可動ストッパ９１の用紙当接面９１１に先端が当接して位置決めされた用紙束Ｐ１に対して第１折り部材９２が前進する。
【０２８９】
この前進により用紙束Ｐ１の搬送方向中央部はニップ部９３Ｎに喰い込み、用紙束Ｐ１は第１のローラ９３と第２のローラ９４とに押圧されて折曲げられて冊子形態となる。
【０２９０】
折曲げられた用紙束Ｐ１（冊子）は回転する第１のローラ９３と第２のローラ９４により第１回目折り部ｐ１を先頭にして搬送され、第３のローラ９５の上側を通過して不図示の第３集積部５５に排出される。
【０２９１】
第１折り部材９２は、用紙束Ｐ１の搬送方向中央部がニップ部９３Ｎに喰い込んだ後、後退する。
【０２９２】
なお、この時可動案内板９８は破線で示す位置に設定されて、冊子Ｐ２の第３集積部５５への搬送を可能としている。
【０２９３】
以上により、中綴じ時には用紙の搬送方向中央部で用紙束の折り曲げ（山折り）が可能となる。
【０２９４】
そして、用紙束Ｐ１は、折り目補強トナー画像が形成された表紙用紙Ｐ２１を第１のローラ９３と第２のローラ９４とに対向する側に位置した状態で搬送路Ｈ４を搬送させるため、表紙の背（山部）に折り目補強トナー画像が形成された冊子を得ることができる。
【０２９５】
なお、ジョブ情報としてＺ折りが設定されている場合は、図１３（ｂ）において、第１可動ストッパ９１の用紙当接面９１１に先端が当接して位置決めされた用紙Ｐに対して第１折り部材９２が前進する。
【０２９６】
第１折り部材９２の前進により用紙Ｐの搬送方向先端から用紙搬送方向全長の１／３の位置がニップ部９３Ｎに喰い込み、第１のローラ９３と第２のローラ９４とに押圧されて折曲げられる。
【０２９７】
折曲げられた用紙Ｐは回転する第１のローラ９３と第２のローラ９４により第１回目折り部ｐ１を先頭にして搬送路Ｈ９に向けて搬送される。
【０２９８】
なお、この時可動案内板９８は実線で示す位置に設定されて、折曲げられた用紙Ｐの搬送路Ｈ９への搬送を可能としている。
【０２９９】
第１折り部材９２は、用紙Ｐの搬送方向先端から用紙搬送方向全長の１／３の位置がニップ部９３Ｎに喰い込んだ後、後退する。
【０３００】
３．第２回目の折り実行
３−１．ジョブ情報として中綴じが設定されているため第２回目の折りは行われない。
【０３０１】
３−２．ジョブ情報としてＺ折りが設定されている場合は、図１３（ｃ）において、第１のローラ９３と第２のローラ９４の回転により用紙Ｐは第１回目折り部ｐ１を先頭にして搬送路Ｈ９を搬送され、第１回目折り部ｐ１が第２可動ストッパ９７の用紙当接面９７１に当接する。
【０３０２】
そして、第１回目折り部ｐ１が第２可動ストッパ９７の用紙当接面９７１に当接した用紙Ｐに対して第２折り部材９６が用紙Ｐに向けて前進する。
【０３０３】
第２折り部材９６の前進により用紙Ｐの搬送方向先端から用紙搬送方向全長の２／３位置（第１回目折り部ｐ１から用紙搬送方向全長の１／３位置）はニップ部９５Ｎに喰い込み、用紙Ｐは第２のローラ９４と第３のローラ９５とに押圧されて折曲げられてＺ折形態となる。
【０３０４】
３−３．図１３（ｄ）において、折曲げられた用紙Ｐ（Ｚ折形態）は回転する第２のローラ９４と第３のローラ９５により第２回目折り部ｐ２を先頭にして搬送され、不図示の第３集積部５５に排出される。
【０３０５】
第２折り部材９６は、用紙Ｐの搬送方向先端から用紙搬送方向全長の２／３位置がニップ部９３Ｎに喰い込んだ後、後退する。
【０３０６】
以上により、Ｚ折り時には用紙の搬送方向先端から用紙搬送方向全長の１／３位置で第１回目の折り曲げ（山折り）と、用紙の搬送方向先端から用紙搬送方向全長の２／３位置で第２回目の折り曲げ（谷折り）が可能となる。
【０３０７】
そして、用紙Ｐは折り目補強トナー画像が形成された面を第１のローラ９３と第２のローラ９４とに対向する側に位置した状態で搬送路Ｈ４を搬送させ、次いで折り目補強トナー画像が形成された面を第２のローラ９４と第３のローラ９５とに対向する側に位置した状態で搬送路Ｈ９を搬送させるため、第１回目の折り部の（山部）に折り目補強トナー画像が形成され、第２回目の折り部の（山部）に折り目補強トナー画像が形成された用紙を得ることができる。
【０３０８】
図１４は、後処理装置の他の形態の説明図（側面）である。
【０３０９】
他の形態の後処理装置Ｃ’は、受入口５１とパンチ処理部６との間に、補強画像を形成する画像形成部２’と、画像形成部２’で形成した補強画像を用紙Ｐに転写する１次転写ローラ２７ＣＬ’と、用紙Ｐに転写されずに感光体２１ＣＬ’の表面に残留したトナーを除去するクリーニング部２５ＣＬ’と、感光体２１ＣＬ’上の補強画像に対応したタイミングで用紙Ｐを転写領域３５’に搬送するレジストローラ３４’と、補強画像を用紙Ｐに加熱・圧着により定着する定着装置４’とを有している以外、前述の後処理装置Ｃの構成と同様な構成を有している。
【０３１０】
なお、後処理装置Ｃ’の上流側に接続する画像形成装置Ｂ’は、感光体２１ＣＬと、露光部２２ＣＬと、現像部２３ＣＬと、帯電部２４ＣＬと、クリーニング部２５ＣＬと、１次転写ローラ２７ＣＬと、を有していない以外は前述の画像形成装置Ｂと同様な構成を有している。
【０３１１】
後処理装置Ｃ’の画像形成部２’は、ＣＬ（クリア）色のトナー画像（補強画像）を担持する感光体２１ＣＬ’と、当該潜像を形成する露光部２２ＣＬ’と、潜像をクリアトナーで現像する現像部２３ＣＬ’と、感光体２１ＣＬ’を一様に帯電する帯電部２４ＣＬ’と、を有し、ＣＬ（クリア）色のトナー画像を感光体２１ＣＬ’に形成する。
【０３１２】
以下、後処理装置Ｃ’の作用について説明する。
【０３１３】
１．前述した画像形成装置Ｂの、感光体２１ＣＬと露光部２２ＣＬと現像部２３ＣＬにおけるＣＬ（クリア）色のトナー画像（補強画像）形成と同様にして、画像形成部２’で補強画像を形成する。
【０３１４】
２．受入口５１から投入された原稿画像が形成された用紙Ｐをレジストローラ３４’で一時待機させ、感光体２１ＣＬ’上に形成された補強画像と用紙Ｐの所定位置（用紙折曲げ予定位置）とが一致するように、換言すると画像形成部２’で形成された補強画像と原稿画像が形成された用紙Ｐとを同期させて、原稿画像が形成された用紙Ｐを転写領域３５’に送り込む。
【０３１５】
３．転写領域３５’では用紙Ｐの所定位置（用紙折曲げ予定位置）に補強画像が転写され、原稿画像と未定着の補強画像とが担持された用紙Ｐを得る。
【０３１６】
４．原稿画像と未定着の補強画像とが担持された用紙Ｐは、定着装置４’の加熱・圧着により補強画像が定着される。
【０３１７】
５、それ以降は前述したように、ジョブ情報の内容に応じてステープル処理、中折り処理、Ｚ折り処理、中綴じ処理等が行われる。
【０３１８】
以上説明したように、画像形成装置Ｂで補強画像が形成された位置、即ち、操作パネルＳＰで設定されたジョブ情報のうち、用紙のサイズと、折り処理やステープル処理の形態（例えば中折り、Ｚ折り、中綴じ等）と、等により定まる用紙の各面の搬送方向１辺の長さ（折り曲げられた１面の長さ）に応じた位置、に対して、後処理装置Ｃで用紙を折り曲げ、或いはステープル針を打ち込むこと、が可能となる。
【０３１９】
そして、補強画像を形成できない画像形成装置の下流側に、他の形態の後処理装置Ｃ’を接続することにより、補強画像を形成した用紙や冊子を得ることが可能となる。
【０３２０】
また、補強画像を形成できない画像形成装置と、他の形態の後処理装置Ｃ’とを、オフラインで接続することにより、両者が異なる場所に設置されていても、或いは両者の単位時間当たりの生産性が異なる場合でも、補強画像を形成した用紙や冊子を得ることが可能となる。
【符号の説明】
【０３２１】
２  画像形成部
３  給紙部
６  パンチ処理部
７  重ね合わせ部
８  綴じ処理部
９  折り処理部
２１  感光体
２２  露光部
２３  現像部
２４  帯電部
２６  中間転写ベルト
２７  １次転写ローラ
３６  ２次転写ローラ
９２  第１折部材
９３  第１のローラ
９４  第２のローラ
９５  第３のローラ
９６  第２折部材
９７  第２可動ストッパ
Ａ  画像形成システム
Ｂ  画像形成装置
Ｃ  後処理装置
ＣＲ  制御部
Ｆ１  打針位置情報ファイル
Ｆ２  折部位置情報ファイル
Ｆ３  クリアトナー塗布幅情報ファイル
Ｆ４  クリアトナー量情報ファイル
Ｋ１  基本画面
Ｋ２  後処理設定画面
Ｐ  用紙
Ｐ１  用紙束
ＳＰ  操作パネル
【図１】
2012150158.tif 000003
【図２】
2012150158.tif 000004
【図３】
2012150158.tif 000005
【図４】
2012150158.tif 000006
【図５】
2012150158.tif 000007
【図６】
2012150158.tif 000008
【図７】
2012150158.tif 000009
【図８】
2012150158.tif 000010
【図９】
2012150158.tif 000011
【図１０】
2012150158.tif 000012
【図１１】
2012150158.tif 000013
【図１２】
2012150158.tif 000014
【図１３】
2012150158.tif 000015
【図１４】
2012150158.tif 000016